(57)【要約】      （修正有）【課題】果実果菜の詰め合わせ作業を簡便にスピーディに、見栄えよく行えるようにし、流通過程や店頭展示における損傷や劣化を最小限に防止し、安全性を高めることができる果実果菜用容器を提供する。【解決手段】容器本体１の底面２を周縁から中央部に向かい内凹湾曲の下り傾斜面とし、中間部には底段部を設け、貫通孔３を形成した中央部を底外方への突部４とし、孔周縁部に内突縁部５を形成し、蓋１０の天面１１を底面に沿う内湾曲の凹傾斜面とし、その中央部に貫通孔１２を形成し、この貫通孔は上側に同形容器を積み重ねたときに、上段容器の突部４が嵌合し得る大きさの貫通孔、又は突部４が嵌合可能な凹陥部として形成し、底面の周縁部付近には、同形容器を複数段に積み重ねたときに下段容器の蓋周縁部外側に接合し得るように下方に突出した脚部７を設けた。【選択図】図１
0003108134.tif 000002
【実用新案登録請求の範囲】
【請求項１】
閉止可能な蓋を組み合わせた容器であって、容器本体の底面を周縁付近から中央部に向かって若干の下り傾斜面となるように形成し、底面中央部に貫通孔を形成してなる構成を有する果実果菜用容器。
【請求項２】
閉止可能な蓋を組み合わせた容器であって、容器本体の底面を内側が凹み湾曲し、周縁付近から中央部に向かって若干の下り傾斜面となるように形成し、底面中央部に貫通孔を形成してなる構成を有する果実果菜用容器。
【請求項３】
貫通孔の周縁部に若干上方に突出した内突縁部を周設した構成を有する請求項１又は２に記載の果実果菜用容器。
【請求項４】
貫通孔を含む底面中央部に底面から底外方への突部を形成し、蓋の天面を容器本体の底面に沿うような凹傾斜面となるように形成し、その中央部に貫通孔を形成し、この貫通孔は、蓋の上側に同形容器を積み重ねたときに、上段容器の底面中央部の外方への突部が嵌合可能に形成した構成を有する請求項１〜３のいずれかに記載の果実果菜用容器。
【請求項５】
貫通孔を含む底面中央部に底面から底外方への突部を形成し、蓋の天面を容器本体の底面に沿うような凹傾斜面となるように形成し、その中央部に貫通孔を形成し、この貫通孔を含む蓋中央部を凹部とし、蓋上側に同形容器を積み重ねたときに、上段容器の底面中央部の外方への突部が嵌合可能なように形成した構成を有する請求項１〜３のいずれかに記載の果実果菜用容器。
【請求項６】
容器本体の底面を中央部と周縁部との中間部位に底段部を周設して、底面を外側より内側が低くなった段々状の底面に形成してなる請求項１〜５のいずれかに記載の果実果菜用容器。
【請求項７】
容器本体の底面の周縁部付近には、同形容器を複数段に積み重ねたときに下段容器の蓋周縁部外側に接合し得るように、底外方すなわち下方に突出した脚部を設けてなる構成を有する請求項１〜６のいずれかに記載の果実果菜用容器。
【考案の詳細な説明】
【技術分野】
【０００１】
本考案はイチゴやトマトなどの果実乃至果菜を収納し運搬に供する包装用容器に関する。
【背景技術】
【０００２】
イチゴのような傷みやすく高品質な果実、或いはトマトなどの小玉系果菜などは、多くがＰＥＴなどのプラスチックシート成形容器に収納し、蓋付容器の蓋を封止する場合もあるが、多くはＯＰＰなどのプラスチックフィルムで覆い包んで流通させている。
【考案の開示】
【考案が解決しようとする課題】
【０００３】
このような容器を用いた場合、農家の収穫現場での選果物を、傷めずに整列させつつ崩れないようにぴったりと容器詰めする作業が煩わしく、負担が大きく、また、流通過程や店頭陳列での荷崩れやいわゆる玉踊りなどによる収納してある果実果菜類の損傷、或いは蒸散水分の結露や発散ガスによる果実果菜類の傷みや劣化が生じるおそれがあった。
【０００４】
本考案は、上記課題に着目し、上記欠点を改善して、容器底面に一定の傾斜を設けることにより、その傾斜角に影響されて自然に収納してある果実果菜類の玉座りがよくなるようにすることにより、安定性が一層増すようにし、選果物の詰め合わせ作業を簡便にスピーディに、しかも見栄えのするように行うことができ、流通過程や店頭展示における損傷や劣化を最小限に防止でき、安全性にすぐれ、陳列展示を効果が高いように行えるようにした果実果菜用容器を提供せんとするものである。
【課題を解決するための手段】
【０００５】
上記課題を解決するために、本考案は、閉止可能な蓋を組み合わせた容器であって、容器本体の底面を周縁付近から中央部に向かって若干の下り傾斜面となり、かつ好ましくは、底面内側が凹み湾曲するように形成し、底面中央部に貫通孔を形成し、かつまた好ましくは貫通孔の周縁部に若干上方に突出した内突縁部を周設して果実果菜用容器を構成したことを特徴とするものである。
【０００６】
上記容器であって、貫通孔を含む底面中央部に底面から底外方への突部を形成し、蓋の天面を容器本体の底面に沿うような凹傾斜面となるように形成し、その中央部に貫通孔を形成し、この貫通孔は、蓋の上側に同形容器を積み重ねたときに、上段容器の底面中央部の外方への突部が嵌合可能なように形成することができる。また、蓋に貫通孔を形成し、この貫通孔を含む蓋中央部を凹部とし、蓋上側に同形容器を積み重ねたときに、上段容器の底面中央部の外方への突部が嵌合可能なように形成することもできる。
【０００７】
上記容器においては、容器本体の底面を、中央部と周縁部との中間部位に底段部を周設して、底面を外側より内側が低くなった段々状の底面に形成するのが好ましい。
容器本体の底面の周縁部付近には、同形容器を複数段に積み重ねたときに下段容器の蓋周縁部外側に接合し得るように、底外方すなわち下方に突出した脚部を設けることができる。
【考案を実施するための最良の形態】
【０００８】
以下、本考案に係る実施の一例を図面によって説明する。
図１〜３において、容器は、容器本体１と蓋１０とからなり、上面視で円形状容器としてある。見栄えと果実果菜類の収まりから円形状が好ましいが、隅丸矩形状乃至多角形状、その他の形状であってもよい。材質は問わないが、好ましくはＰＥＴなどの透明プラスチックシートを圧空真空成形など熱成形して成形するのがよい。
【０００９】
容器本体１は底面２を有し、この底面は周縁部から中央部（中心部）ほど漸次若干の下り傾斜した面とするとともに、内側が若干凹み湾曲した湾曲面として形成してある。傾斜程度は限定されないが、例えば直径１６ｃｍの底面で中央と周縁との高低差が４〜８ｍｍ程度とするのが好ましい。直径寸方が変わる場合でも上記程度の高低差の比率で設計されることが好ましいが、収納する果実果菜類の種類やサイズにより高低差は変化できる。
【００１０】
底面２の中央部には収納する果実果菜類Aが抜け落ちない程度の適度な大きさの貫通孔３を形成するとともに、該貫通孔３を含む底面部分を若干底外方（下方）に突出させて中央脚部ともなり得る突部４を形成してある。上記貫通孔３の大きさは限定されないが、上記例示の大きさで例えばイチゴの収納容器とする場合であれば、直径１４〜２０ｍｍ程度とするのが好ましい。
【００１１】
底面２の周縁からは立ち上がり周側面６を形成し、周側面６の上縁には蓋係合用の鍔部７を形成してある。底面２の貫通孔３外周縁部分には若干上方に突出した内突縁部５を周設し、果実果菜類の滑り止めとしてある。
周側面６の高さは任意であるが、果実果菜類Aの高さとすることは必ずしも必要ではなく、蓋の高さ分と合わせて収納空間を維持できればよい。
鍔部７は内嵌合、外嵌合いずれの構成でもよいが、図示例は、外折れ形成して外嵌合構成としてある。鍔部外側には蓋の係止部を任意に設けるのがよい。
【００１２】
底面２の周縁部付近には底外方（下方）に突出した脚部８を形成してある。この脚部は、本考案に係る容器を複数段積み重ねた状態において、下段容器の蓋の周側面外側に対向し、蓋外側に嵌合するように形成してあり、図示のように円周方向に等間隔４箇所、或いは図示しないが数箇所に設けてもよく、或いは環状に設けてもよい。
【００１３】
蓋１０は、天面１１を有し、この天面は周縁部から中央部（中心部）ほど漸次若干の下り傾斜した面するとともに、若干の内湾曲面として形成し、好ましくは底面２に沿い得るような傾斜面として形成してある。天面１１の中央部には底面と同様に適度な大きさの貫通孔１２を形成してある。
【００１４】
貫通孔１２は天面にそのまま穿孔してもよく、この場合は、本考案に係る容器を多段に積み重ねたときに、上段容器の底面２の突部４が、下段容器の天面１１の貫通孔１２に嵌合するように形成してある。
或いは、図４に別例として示したように、貫通孔１２を含む天面中央部分を若干蓋内方（下方）に突出させ、上段容器の底面２に形成してある突部４を受け嵌め得る凹陥部１３として形成してもよい。
【００１５】
天面１１の周縁からは下折れして周側面１４を形成し、周側面１４の下縁には容器本体と係合する係合縁部１５を形成してある。係合縁部１５は鍔部７と嵌合して係止し得る適宜構成としてある。天面、周側面には内部が十分に透過できる状態を維持しつつ、適宜に補強、装飾を兼ねてリブを形成するしておくのが好ましい。
【００１６】
上記実施例とは異なり、さらに好ましい本考案に係る容器として、図５，６に示す如き容器とすることができる。
図5は、容器本体１の底面２の中央部と周縁部との中間部位に、若干差例えば１〜５ｍｍ程度の段差を有した底段部９を周設して、底面を外側より内側が低くなった内外二段状に形成したものである。二段状の各底面は、いずれも外側から内側に向かって漸次若干下り傾斜し、さらに好ましくは内側が若干凹み湾曲した湾曲面となるように形成してある。
【００１７】
図６は、底面２の中央部と周縁部との中間部位２個所に上記同様の底段部９ａ，９ｂを形成して、三段状の底面となしたものである。各底面はいずれも上記同様である。
底段部の形成数は任意であり、段状の各底面に収容する果実果菜類の種類と大きさに対応させて、それらが１列づつ載るように設計するのが最も好ましい。
【００１８】
上記構成の容器を用いれば、果実果菜類A例えばイチゴを収穫しつつそのまま所定の向きで容器中央部から周辺に向けて順次詰めていけば、なだらかな曲面を描いた傾斜面に案内される如くして、果実果菜類は自然に底面中央に向かってまとまるように並び、不揃いにならず、安定して均一的に収まりやすくなる。こうして詰め合わせ作業を簡便にスピーディにしかも見栄えがするように行いやすいものとなる。
【００１９】
容器は、上段に重ねる容器の底面中央部の突部を、下段の容器の天面中央部の貫通孔或いは凹陥部に嵌合させて積み重ねることができるので、運搬時や展示中においても安定性を保つのに役立ち、容器自体の荷崩れや滑り落ちを効果的に防止でき、収納した果実果菜類の損傷を防止する。しかも、果実果菜類はなだらかな曲面を描いた傾斜面の底面に並んでいるので、運搬時などの揺動を受けても、この揺動は果実果菜類を底面中央に向かって自然にまとまるように並べる作用となって吸収されることとなり、いわゆる荷踊りを生じ難くし、収納してある果実果菜類を損傷させず、収納状態の見栄えを損なわせない。
【００２０】
同時に、底中央部と蓋中央部で十分な通気を維持でき、結露や果実果菜類から発生するガスを容器外に発散させることができるので、鮮度保持にも効果を発揮する。また、複数段に積み重ねた容器を通して通気することができるので、多段の容器間における品質むらを生じにくくすることができる。
【００２１】
また、底面を複数段の段々底として形成した場合には、収納した果実果菜類が直に中央に集中してしまうおそれを少なくし、各段ごとの底面でそれらを安定的に支えつつ中央方向に集めるので、果実果菜類を一層安全に見栄えよく保護することができる。
【図面の簡単な説明】
【００２２】
【図１】本考案に係る容器の正面縦断面図である。
【図２】図１の容器の底面図である。
【図３】容器を積み重ねた状態を示す容器断面図である。
【図４】容器の別の一例を示す図３と同様状態の容器断面図である。
【図５】図１と別例の本考案に係る容器の正面縦断面図である。
【図６】図５とさらに異なる実施例の容器を示す底面部分切断端面図である。
【符号の説明】
【００２３】
１      容器本体
２      底面
３      貫通孔
４      突部
５      内突縁部
６      周側面
７      鍔部
８      脚部
９，９ａ，９ｂ  底段部
１０    蓋
１１    天面
１２    貫通孔
１３    凹陥部
１４    周側面
１５    係合縁部
【図１】
0003108134.tif 000003
【図２】
0003108134.tif 000004
【図３】
0003108134.tif 000005
【図４】
0003108134.tif 000006
【図５】
0003108134.tif 000007
【図６】
0003108134.tif 000008